(57)【要約】【課題】本発明は、自動車等においてシートベルトの取出口を塞ぐために使用されるシートベルト取出口用カバーに関し、切欠穴にシートベルトが噛み込むおそれを確実に解消すること、および、見栄えを従来より大幅に向上することを目的とする。【解決手段】樹脂製のカバー本体に、シートベルトが挿通される貫通穴を形成するとともに、前記カバー本体に、前記貫通穴から前記カバー本体の外周面に開口し、前記シートベルトが通過される切欠穴を形成してなるシートベルト取出口用カバーにおいて、前記カバー本体の前記貫通穴と外周面との間に、前記切欠穴を跨いで凹部を形成するとともに、前記カバー本体に、前記凹部に嵌合する蓋部を、ヒンジ部を介して一体形成してなることを特徴とする。【選択図】　　　図１
2004122849.tif 000002
【特許請求の範囲】
【請求項１】
樹脂製のカバー本体に、シートベルトが挿通される貫通穴を形成するとともに、前記カバー本体に、前記貫通穴から前記カバー本体の外周面に開口し、前記シートベルトが通過される切欠穴を形成してなるシートベルト取出口用カバーにおいて、
前記カバー本体の前記貫通穴と外周面との間に、前記切欠穴を跨いで凹部を形成するとともに、前記カバー本体に、前記凹部に嵌合する蓋部を、ヒンジ部を介して一体形成してなることを特徴とするシートベルト取出口用カバー。
【請求項２】
請求項１記載のシートベルト取出口用カバーにおいて、
前記蓋部を、前記蓋部の表面に穴を形成することなく前記カバー本体の凹部に係止する係止手段を有することを特徴とするシートベルト取出口用カバー。
【請求項３】
請求項２記載のシートベルト取出口用カバーにおいて、
前記係止手段は、前記蓋部を、前記切欠穴の両側において前記凹部に係止することを特徴とするシートベルト取出口用カバー。
【請求項４】
請求項２または請求項３記載のシートベルト取出口用カバーにおいて、
前記係止手段は、前記蓋部に一体形成され、前記カバー本体の裏面に係止される係止爪からなることを特徴とするシートベルト取出口用カバー。
【発明の詳細な説明】
【０００１】
【発明の属する技術分野】
本発明は、自動車等においてシートベルトの取出口を塞ぐために使用されるシートベルト取出口用カバーに関する。
【０００２】
【従来の技術】
従来、トラック等の自動車では、運転者等の安全を確保するためにシートベルトが配置されている。
図６は、このようなシートベルトを備えたトラックの運転席を示すもので、ドア１の後側に、樹脂製のボード，パネル材等により、内張り２が形成されている。
【０００３】
この内張り２の内側には、シートベルト３の巻取装置４が配置され、シートベルト３のバックル５が、内張り２に形成される取出口６から外部に引き出されている。
そして、取出口６が、シートベルト取出口用カバー７により塞がれている。
図７は、シートベルト取出口用カバー７の詳細を示すもので、このカバー７では、板状をした樹脂製のカバー本体７ａに、シートベルト３が挿通される矩形状の貫通穴７ｂが形成されている。
【０００４】
また、カバー本体７ａには、貫通穴７ｂからカバー本体７ａの外周面に開口する矩形状の切欠穴７ｃが形成されている。
このシートベルト取出口用カバー７では、切欠穴７ｃにシートベルト３を通過させることにより、シートベルト３が貫通穴７ｂに挿通される。
そして、貫通穴７ｂにシートベルト３を挿通した状態で、シートベルト取出口用カバー７が取出口６に装着される。
【０００５】
なお、従来、シートベルトをカバーに通すための切欠穴（スリット）を設ける技術が知られている（例えば、特開平７−８９４１０号公報、特開平１０−４４９３０号公報参照）。
【特許文献１】
特開平７−８９４１０号公報
【特許文献２】
特開平１０−４４９３０号公報
【０００６】
【発明が解決しようとする課題】
しかしながら、このような従来のシートベルト取出口用カバー７では、シートベルト３が、カバー本体７ａに形成される切欠穴７ｃに、図に二点鎖線で示すように、折れて噛み込むおそれがあるという問題があった。
【０００７】
また、切欠穴７ｃの両側部７ｄの強度が比較的弱いため、シートベルト３の噛み込み等により破損するおそれがあるという問題があった。
さらに、カバー本体７ａに形成される切欠穴７ｃが、外部から直接目視できるため、見栄えが悪いという問題があった。
本発明は、かかる従来の問題を解決するためになされたもので、切欠穴にシートベルトが噛み込むおそれを確実に解消することができるとともに、見栄えを従来より大幅に向上することができるシートベルト取出口用カバーを提供することを目的とする。
【０００８】
【課題を解決するための手段】
請求項１のシートベルト取出口用カバーは、樹脂製のカバー本体に、シートベルトが挿通される貫通穴を形成するとともに、前記カバー本体に、前記貫通穴から前記カバー本体の外周面に開口し、前記シートベルトが通過される切欠穴を形成してなるシートベルト取出口用カバーにおいて、前記カバー本体の前記貫通穴と外周面との間に、前記切欠穴を跨いで凹部を形成するとともに、前記カバー本体に、前記凹部に嵌合する蓋部を、ヒンジ部を介して一体形成してなることを特徴とする。
【０００９】
請求項２のシートベルト取出口用カバーは、請求項１記載のシートベルト取出口用カバーにおいて、前記蓋部を、前記蓋部の表面に穴を形成することなく前記カバー本体の凹部に係止する係止手段を有することを特徴とする。
請求項３のシートベルト取出口用カバーは、請求項２記載のシートベルト取出口用カバーにおいて、前記係止手段は、前記蓋部を、前記切欠穴の両側において前記凹部に係止することを特徴とする。
【００１０】
請求項４のシートベルト取出口用カバーは、請求項２または請求項３記載のシートベルト取出口用カバーにおいて、前記係止手段は、前記蓋部に一体形成され、前記カバー本体の裏面に係止される係止爪からなることを特徴とする。
【００１１】
（作用）
請求項１のシートベルト取出口用カバーでは、カバー本体の貫通穴と外周面との間に、切欠穴を跨いで凹部が形成される。
そして、この凹部に、カバー本体にヒンジ部を介して一体形成される蓋部が嵌合される。
【００１２】
従って、蓋部により、シートベルトが切欠穴に噛み込むことが確実に阻止され、また、切欠穴が見えなくされる。
請求項２のシートベルト取出口用カバーでは、係止手段が、蓋部の表面に穴を形成することなく形成される。
請求項３のシートベルト取出口用カバーでは、蓋部が、切欠穴の両側において凹部に係止される。
【００１３】
請求項４のシートベルト取出口用カバーでは、凹部に蓋部を嵌合すると、蓋部に一体形成される係止爪が、カバー本体の裏面に係止される。
【００１４】
【発明の実施の形態】
以下、本発明を図面に示す実施形態について説明する。
【００１５】
（第１の実施形態）
図１は、本発明のシートベルト取出口用カバーの第１の実施形態を示している。
図において符号１１は、樹脂製のカバー本体を示している。
このカバー本体１１は、板状をしており、矩形状に形成されている。
カバー本体１１には、シートベルト１３が挿通される貫通穴１１ａが矩形状に形成されている。
【００１６】
カバー本体１１には、貫通穴１１ａからカバー本体１１の外周面に開口し、シートベルト１３が通過される切欠穴１１ｂが矩形状に形成されている。
カバー本体１１の貫通穴１１ａと外周面との間には、切欠穴１１ｂを跨いで凹部１１ｃが形成されている。
【００１７】
この凹部１１ｃにより、切欠穴１１ｂの両側には、第１の薄肉部１１ｄおよび第２の薄肉部１１ｅが形成されている。
第１の薄肉部１１ｄの外周側には、凹部１１ｃに嵌合する蓋部１５が、ヒンジ部１７を介して一体形成されている。
蓋部１５は、凹部１１ｃに対応する矩形形状とされている。
【００１８】
蓋部１５の肉厚は、凹部１１ｃの深さと略同一の寸法とされている。
蓋部１５には、蓋部１５の表面に穴を形成することなく、蓋部１５をカバー本体１１の凹部１１ｃに係止する係止手段が形成されている。
この係止手段は、蓋部１５を、切欠穴１１ｂの両側において凹部１１ｃに係止する一対の係止爪１５ａを有している。
【００１９】
すなわち、この実施形態では、蓋部１５のヒンジ部１７と反対側の端面に、一対の係止爪１５ａが形成されている。
一対の係止爪１５ａは、切欠穴１１ｂの両側に位置するように蓋部１５に一体形成されている。
係止爪１５ａの先端には、カバー本体１１の裏面に係止される爪部１５ｂが形成されている。
【００２０】
この爪部１５ｂは、図２に示すように、三角形状をしており、樹脂の弾性により、その係止部１５ｃが、カバー本体１１の裏面に係止される。
上述したシートベルト取出口用カバーでは、カバー本体１１の切欠穴１１ｂにシートベルト１３を通過させることにより、シートベルト１３が貫通穴１１ａに挿通される。
【００２１】
そして、貫通穴１１ａにシートベルト１３を挿通した後に、図３に示すように、蓋部１５がヒンジ部１７を折り曲げることにより、凹部１１ｃに嵌合され、樹脂の弾性により、係止爪１５ａの爪部１５ｂが、カバー本体１１の裏面に係止される。
そして、貫通穴１１ａにシートベルト１３を挿通した状態で、トラック等の内張り等に形成されるシートベルト１３の取出口に装着される。
【００２２】
上述したシートベルト取出口用カバーでは、カバー本体１１の貫通穴１１ａと外周面との間に、切欠穴１１ｂを跨いで凹部１１ｃを形成し、カバー本体１１に、凹部１１ｃに嵌合する蓋部１５を、ヒンジ部１７を介して一体形成したので、切欠穴１１ｂにシートベルト１３が噛み込むおそれを確実に解消することができるとともに、見栄えを従来より大幅に向上することができる。
【００２３】
また、上述したシートベルト取出口用カバーでは、表面に穴が形成されない蓋部１５をカバー本体１１の凹部１１ｃに係止したので、見栄えを低下することなく、蓋部１５を凹部１１ｃに確実に係止することができる。
そして、上述したシートベルト取出口用カバーでは、蓋部１５を、切欠穴１１ｂの両側において凹部１１ｃに係止したので、凹部１１ｃから蓋部１５が離脱することを確実に防止することができる。
【００２４】
また、上述したシートベルト取出口用カバーでは、凹部１１ｃに蓋部１５を嵌合すると、蓋部１５に一体形成される係止爪１５ａの爪部１５ｂが、カバー本体１１の裏面に係止されるため、蓋部１５を凹部１１ｃに容易，確実に係止することができる。
なお、上述した実施形態では、蓋部１５における切欠穴１１ｂの両側となる位置に一対の係止爪１５ａを形成した例について説明したが、本発明はかかる実施形態に限定されるものではなく、例えば、蓋部１５に、第２の薄肉部１１ｅの裏面に係止する係止爪１５ａのみを形成しても良い。
【００２５】
また、上述した実施形態では、蓋部１５に形成される係止爪１５ａにより、蓋部１５を凹部１１ｃに係止した例について説明したが、本発明はかかる実施形態に限定されるものではなく、例えば、蓋部１５の薄肉部１１ｄ，１１ｅに対向する面に突出部を形成し、この突出部を薄肉部１１ｄ，１１ｅの蓋部１５側に形成される穴部に所定の押圧力で嵌合して、蓋部１５を凹部１１ｃに係止するようにしても良い。
【００２６】
（第２の実施形態）
図４は、本発明のシートベルト取出口用カバーの第２の実施形態を示している。
この実施形態では、カバー本体１１の第２の薄肉部１１ｅにビス穴１１ｆが形成されている。
そして、蓋部１５における第２の薄肉部１１ｅのビス穴１１ｆに対応する位置にボス穴１５ｃが形成されている。
【００２７】
なお、この実施形態において第１の実施形態と同一の部材には、同一の符号を付して詳細な説明を省略する。
この実施形態のシートベルト取出口用カバーでは、カバー本体１１の切欠穴１１ｂにシートベルト１３を通過させることにより、シートベルト１３が貫通穴１１ａに挿通される。
【００２８】
そして、貫通穴１１ａにシートベルト１３を挿通した後に、図５に示すように、蓋部１５がヒンジ部１７を折り曲げることにより、凹部１１ｃに嵌合される。そして、この状態で、トラックの内張り等に形成されるシートベルト１３の取出口に、カバー本体１１を嵌合した後、ビス穴１５ｃ、１１ｆにビス１９を挿通し、ビス１９を取出口の近傍に螺合することによりシートベルト取出口用カバーが取出口に装着される。
【００２９】
尚、ビスに代えて、例えば樹脂クリップ等の係止具を用いても良い。
この実施形態のシートベルト取出口用カバーでは、カバー本体１１の貫通穴１１ａと外周面との間に、切欠穴１１ｂを跨いで凹部１１ｃを形成し、カバー本体１１に、凹部１１ｃに嵌合する蓋部１５を、ヒンジ部１７を介して一体形成したので、切欠穴１１ｂにシートベルト１３が噛み込むおそれを確実に解消することができるとともに、見栄えを従来より大幅に向上することができる。
【００３０】
【発明の効果】
以上述べたように、請求項１のシートベルト取出口用カバーでは、カバー本体の貫通穴と外周面との間に、切欠穴を跨いで凹部を形成し、カバー本体に、凹部に嵌合する蓋部を、ヒンジ部を介して一体形成したので、切欠穴にシートベルトが噛み込むおそれを確実に解消することができるとともに、見栄えを従来より大幅に向上することができる。
【００３１】
請求項２のシートベルト取出口用カバーでは、表面に穴が形成されない蓋部をカバー本体の凹部に係止したので、見栄えを低下することなく、蓋部を凹部に確実に係止することができる。
請求項３のシートベルト取出口用カバーでは、蓋部を、切欠穴の両側において凹部に係止したので、凹部から蓋部が離脱することを確実に防止することができる。
【００３２】
請求項４のシートベルト取出口用カバーでは、凹部に蓋部を嵌合すると、蓋部に一体形成される係止爪が、カバー本体の裏面に係止されるため、蓋部を凹部に容易，確実に係止することができる。
【図面の簡単な説明】
【図１】本発明のシートベルト取出口用カバーの第１の実施形態を示す斜視図である。
【図２】図１の蓋部を薄肉部の裏側に係止した状態を示す断面図である。
【図３】図１において蓋部を凹部に係止した状態を示す斜視図である。
【図４】本発明のシートベルト取出口用カバーの第２の実施形態を示す斜視図である。
【図５】図４において蓋部を凹部に係止した状態を示す斜視図である。
【図６】従来のシートベルトの取出口およびシートベルト取出口用カバーを示す説明図である。
【図７】図６のシートベルト取出口用カバーを示す斜視図である。
【符号の説明】
１１　カバー本体
１１ａ　貫通穴
１１ｂ　切欠穴
１１ｃ　凹部
１３　シートベルト
１５　蓋部
１５ａ　係止爪
１７　ヒンジ部
【図１】
2004122849.tif 000003
【図２】
2004122849.tif 000004
【図３】
2004122849.tif 000005
【図４】
2004122849.tif 000006
【図５】
2004122849.tif 000007
【図６】
2004122849.tif 000008
【図７】
2004122849.tif 000009